(57)【特許請求の範囲】
【請求項１】
棹部と胴部に弦を張設し、該弦を弾いて音を発生させる三線型の弦楽器において、弦の配置が、１弦によるメロディー弦と、３弦を１組とする複数の和音弦とから構成されることを特徴とする弦楽器。
【請求項２】
前記の３弦を１組とする和音弦が４組設けられていることを特徴とする請求項１に記載の弦楽器。
【請求項３】
前記の４組の和音弦が、コード進行の基本となるメジャーのスリーコードの３和音と、マイナーの１和音との組合せからなる４和音に調律された和音弦からなることを特徴とする請求項２に記載の弦楽器。
【請求項４】
前記の胴部の表面に各和音弦に対応して、各和音弦を識別できるマークが表示されていることを特徴とする請求項１から請求項３までのいずれかの項に記載の弦楽器。
【請求項５】
前記の棹部の表面に、メロディ弦に対応し、その音階の位置を示す文字記号が表示されていることを特徴とする請求項１から請求項４までのいずれかの項に記載の弦楽器。
【請求項６】
前記のメロディ弦がナイロン製であり、和音弦がスチール製であることを特徴とする請求項１から請求項５までのいずれかの項に記載の弦楽器。
【発明の詳細な説明】
【技術分野】
【０００１】
本発明は、メロディ弦と和音弦とで構成される弦楽器に関し、特に、幼児や高齢者、身体障害者用として好適な弦楽器に関する。
【背景技術】
【０００２】
従来の弦楽器は、ギターやバイオリン、三味線、琴などに代表されるように、多種開発され、多く演奏者、愛好家が使用して演奏がなされている。
【０００３】
これらの弦楽器は、複数の弦を弾くことで多種の音を発生させ、各弦のポジションを指で押さえて音色を変えて演奏するものであり、一定の演奏技術を必要とするものである。
【０００４】
また、楽曲を演奏する場合には、メロディを弾くとともに、和音を弾く伴奏なども必要である。
【０００５】
歌を歌う場合にはギターなどで伴奏を弾くことも一般的に行われる。
【０００６】
和音を弾く場合、３和音が一般的であり、複数の弦を用いて、各弦のポジションを指で押さえるなど、一定の技術と熟練を要する。
【０００７】
このため、初心者には、相当の熟練を要し、幼児や高齢者などには使い難いとされていた。
【０００８】
このため、もっと簡単に和音などの演奏ができる楽器として、電子楽器などが数多く開発されている。
【０００９】
この電子楽器では、一つのボタン操作で簡単に各種の和音を発生させることができるようにしたものである。
【００１０】
また、和音発生の弦楽器として、特開２００３−３４５３４３号公報では、４弦で和音を発生させ、指１本でフレットを押さえて、各種の和音を発生させるようにした、ギター型の和音発生弦楽器が開示されている。
【００１１】
また、特開平１１−３５２９５６号公報では、５本単位で３組、合計１５本の弦を張設し、支持体で５本単位で和音が発生するように調律された、琴状の和音発生装置が開示されている。
【特許文献１】特開平１１−３５２９５６号公報
【特許文献２】特開２００３−３４５３４３号公報
【発明の開示】
【発明が解決しようとする課題】
【００１２】
しかしながら、電子楽器により、ボタンを押すことで各種の和音を発生させるものでは、自らが和音を発生させたものではないため、誰が演奏してもまったく同じ和音を発生させることとなるので、弦楽器の音が出ているとしても電子音であり、弦楽器の音楽の演奏としては面白くない。
【００１３】
特開２００３−３４５３４３号公報では、４弦を弾いて和音を発生させるため、弦楽器を実際に弾いている感覚とともに演奏できるものであるが、歌の伴奏をするために複雑な指使いの必要はないが、１本の指で４弦まとめてフレットを押さえなければならない。
【００１４】
幼児や高齢者あるいは身体障害者の場合には、この４弦まとめてフレットを押さえる操作は容易ではない。
【００１５】
また、特開平１１−３５２９５６号公報では、５本の弦単位で支持体により和音を調律しなければならない。
【００１６】
予め、該支持体の位置がわかりやすいように、饗音体に支持体のセット位置のマークが付されていたとしても、演奏前にその位置に各弦ごとに支持体を合わせる操作が必要となる。
【００１７】
本発明の課題は上記のような問題点に鑑みてなされたものであり、幼児や高齢者、身体障害者などでも容易に操作して演奏することができる弦楽器を提供することである。
【課題を解決するための手段】
【００１８】
上記の課題を解決するために本発明の請求項１では、棹部と胴部に弦を張設し、該弦を弾いて音を発生させる三線型の弦楽器において、弦の配置が、１弦によるメロディー弦と、３弦を１組とする複数の和音弦とから構成されることを特徴とする弦楽器とする。
【００１９】
また、本発明の請求項２では、前記の３弦を１組とする和音弦が４組設けられていることを特徴とする弦楽器である。
【００２０】
また、本発明の請求項３では、前記の４組の和音弦が、コード進行の基本となるメジャーのスリーコードの３和音と、マイナーの１和音との組合わせからなる４和音に調律された和音弦からなることを特徴とする請求項２に記載の弦楽器である。
【００２１】
また、本発明の請求項４では、前記の胴部の表面に各和音弦に対応して、各和音弦を識別できるマークが表示されていることを特徴とする弦楽器である。
【００２２】
また、本発明の請求項５では、前記の棹部の表面に、メロディ弦に対応し、その音階の位置を示す文字記号が表示されていることを特徴とする弦楽器である。
【００２３】
また、本発明の請求項６では、前記のメロディ弦がナイロン製であり、和音弦がスチール製であることを特徴とする弦楽器である。
【発明の効果】
【００２４】
本発明では以下のような効果を奏する。
【００２５】
１）和音弦は、開放弦状態で和音を奏することができるので、片手で伴奏ができる。
【００２６】
２）メロディ弦及び和音弦のいずれをそのまま弾いても、弦楽器の自然の音を奏でることができ、幼児や高齢者、身体障害者などでも簡単に弦楽器による演奏を楽しむことができる。
【００２７】
３）メロディ弦と和音弦の両方が設けられているので片手のみで伴奏を含めた演奏を行うことができる。
【００２８】
４）歌の伴奏をする場合に、楽曲のコードの指使いを覚えることなく、伴奏することができる。
【００２９】
５）代表的な４和音を出せるので、その４和音のみで十分に楽曲の伴奏を行うことができる。
【００３０】
６）胴部に４つの和音弦を識別できるマークが表示されているので、どの和音弦を弾くかがわかりやすい。
【００３１】
７）棹部に音階を示す文字記号が表示されているので、メロディを演奏しやすい。
【発明を実施するための最良の形態】
【００３２】
本発明の実施の形態について図面を用いて説明する。
【００３３】
図１は本発明による弦楽器の実施例を示す平面図であり、図２は、その垂直断面図である。
【００３４】
本弦楽器は、弦の張力を調整する巻取部２が設けられ、音程を変化させるために指で弦１を押さえる位置となる棹部３と、弦１の振動を共鳴させる胴部４とから構成され、弦は１本の弦によるメロディ弦１ａと、３本で１組となった和音弦（１ｂ１〜１ｂ４）が４組、張設されている。
【００３５】
該メロディ弦１ａは、ナイロン製弦であり、和音弦１ｂはスチール製弦である。
【００３６】
該棹部３の頭部３ａは沖縄のシーサーをイメージしたユニークなキャラクターの顔が描かれている。
【００３７】
また、メロディー弦１ａの位置する棹部３の表面には、音階に対応する位置に「ド」「レ」「ミ」「ファ」「ソ」「ラ」「シ」「ド」の音階記号５が表記されている。
【００３８】
また、胴部４には、４組の和音弦１ｂに従った位置に、「１」「２」「３」「４」の番号６が表示されている。
【００３９】
図２（図１のＡ−Ａ縦断面）に示すように、胴部４の内部は空洞となっており、音響共鳴体となっている。
【００４０】
また、図２と、棹部３の頭部の断面図である図３（図１のＢ−Ｂ断面）に示すように、棹部３の頭部は、空洞となっており、内部に巻取部２が設けられている。
【００４１】
４組の和音弦１ｂ１〜１ｂ４は、開放状態で、３組の和音弦はＧメジャーのスリーコード（Ｇ、Ｃ、Ｄ）と、残りの１組の和音弦は、ダイアトニックコードの中のＥｍの和音弦を用いた。
【００４２】
すなわち、右側から第１弦１ａは、Ｇメジャーに調弦したメロディ弦、第２弦１ｂ４は、ＧメジャーキーのスリーコードのトニックコードであるＧコードに調弦した和音弦、第３弦１ｂ３は、ＧメジャーキーのスリーコードのドミナントコードであるＣコードに調弦した和音弦、第４弦１ｂ２は、ＧメジャーキーのスリーコードのサブドミナントコードであるＤコードに調弦した和音弦、第５弦１ｂ１は、Ｇメジャーキーのダイアトニックコードの中のＥｍコードに調弦した和音弦とした。
【００４３】
次にこのように構成された本実施例の弦楽器の使用例について説明する。
【００４４】
ここでは、童謡の「竹田の子守唄」を例に説明する。
【００４５】
図４は童謡「竹田の子守唄」の通常の楽譜である。
【００４６】
この楽譜のコードを本実施例の４組のコード（Ｇ、Ｃ、Ｄ、Ｅｍ）の番号（Ｇ＝１、Ｃ＝２、Ｄ＝３、Ｅｍ＝４）に置き換えると、図５の楽譜のようになる。
【００４７】
この楽譜に従って、演奏する。
【００４８】
すなわち、メロディ弦１ａで音階に合わせた音階記号の位置を押さえながらメロディ弦を弾く。
【００４９】
同時に伴奏を楽譜に従って、数字の１〜４の番号に従って和音弦（１ｂ１、１ｂ２、１ｂ３、１ｂ４）を弾く。
【００５０】
これによって、楽曲の演奏ができる。
【００５１】
このため、右手のみで弦を弾くことで、楽曲の演奏、伴奏を行うことができ、左手はフレットなどを指で押さえる必要もない。
【００５２】
片手で演奏できるので、幼児や高齢者、身体障害者であっても、気軽に演奏を楽しむことができる。
【００５３】
歌の伴奏などでも、指使いが必要なく、和音弦をコード進行に従って弾くだけで楽しむことができる。
【００５４】
電子楽器ではなく、実際に弦を奏でることで演奏するため、自然の弦の音を体感できる。
【００５５】
また、カポタストなどを使用して、簡単に移調して使用することができる。
【図面の簡単な説明】
【００５６】
【図１】本発明による弦楽器の実施例を示す平面図である。
【図２】本発明による弦楽器の垂直断面図を示す図である。
【図３】本発明による弦楽器の糸巻部の断面図である。
【図４】従来のコードを付した楽譜を示す図である。
【図５】本発明の弦楽器用にコードを番号で付した楽譜を示す図である
【符号の説明】
【００５７】
１  弦
１ａ  メロディ弦
１ｂ１、１ｂ２、１ｂ３、１ｂ４  和音弦
３  棹部
４  胴部
５  音階表示部
６  和音弦番号
【図１】
0004592561.tif 000002
【図２】
0004592561.tif 000003
【図３】
0004592561.tif 000004
【図４】
0004592561.tif 000005
【図５】
0004592561.tif 000006